(57)【特許請求の範囲】
【請求項１】
建築物の構造躯体に固定した金属下地に横張用の外壁板を留め付けてなる外壁施工構造であって，
上記金属下地は，上記構造躯体に，それぞれ略水平方向に固定された複数の金属ランナーと，該複数の金属ランナーに略鉛直方向に固定された複数の金属胴縁とを有し，
上記外壁板は，上記金属胴縁に配設された留め付け金具又はスタータ金具に，上辺部及び下辺部を係止させることにより，上記金属下地に留め付けられていると共に，上記各外壁板は複数の上記金属胴縁の前方に配置され，
かつ，上記金属ランナーは，構造躯体における土台柱，胴差し，及び桁のいずれか２つ以上に沿ってそれぞれその前面に固定されており，
上記留め付け金具は，左右の上記外壁板が隣り合う部分に配設されるものと，その他の部分に配設されるものとがあり，前者は左右方向に長い長尺背面板に２個左右に並設された状態で上記金属胴縁に固定され，後者は１個の背面板に１個配設された状態で上記金属胴縁に固定されていることを特徴とする外壁施工構造。
【請求項２】
請求項１において，上記金属胴縁は，上記構造躯体に対向する胴縁背板と，該胴縁背板から前方へ略鉛直方向に立設された左右一対の鉛直立設板と，各鉛直立設板の前端から互いに向き合う方向に屈曲された左右一対の胴縁前板とを有し，かつ，上記留め付け金具及びスタータ金具は，その背面に，上記金属胴縁における左右一対の胴縁前板に係合する係合板を有しており，該係合板を上記一対の胴縁前板の背面に係合することにより，上記留め付け金具及びスタータ金具を上記金属胴縁に固定してなることを特徴とする外壁施工構造。
【請求項３】
請求項１又は２において，上記金属ランナーは，上記構造躯体に固定されるランナー背板と，該ランナー背板から前方へ略水平方向に立設された上下一対の水平立設板とを有し，上記金属胴縁は，上記構造躯体に対向する胴縁背板と，該胴縁背板から前方へ略鉛直方向に立設された左右一対の鉛直立設板とを有し，上記金属ランナーと上記金属胴縁とは，上記金属ランナーの水平立設部に嵌合するランナー固定部と，上記金属胴縁に嵌合する胴縁固定部とを有する固定金具を介して固定されていることを特徴とする外壁施工構造。
【請求項４】
請求項３において，上記固定金具は，上記ランナー固定部及び胴縁固定部に突起部を有し，上記ランナー固定部の突起部は，上記金属ランナーの上記水平立設板に設けられた係合穴に係合し，上記胴縁固定部の突起部は，上記金属胴縁の鉛直立設部に設けられた係合穴に係合していることを特徴とする外壁施工構造。
【請求項５】
請求項３又は４において，上記固定金具は，上記ランナー固定部を有するランナー保持体と，上記胴縁固定部を有する胴縁保持体とからなり，上記ランナー保持体と上記胴縁保持体とは，互いの位置関係を前後方向に変化させることができるよう構成してあることを特徴とする外壁施工構造。
【請求項６】
建築物の構造躯体に固定した金属下地に横張用の外壁板を留め付けてなる外壁施工構造を施工する外壁施工方法であって，
該外壁施工方法は，複数の金属ランナーを，上記構造躯体における土台柱，胴差し，及び桁のいずれか２つ以上に沿って，それぞれ略水平方向に固定する第１工程と，
上記複数の金属ランナーに，複数の金属胴縁を略鉛直方向に固定することにより，上記構造躯体に固定された上記金属下地を得る第２工程と，
上記金属胴縁にスタータ金具を固定し，該スタータ金具に最下段の外壁板の下辺部を係止し，更に留め付け金具を上記外壁板の上辺部に係止すると共に上記金属胴縁に固定する第３工程と，
上記留め付け金具に，他の外壁板の下辺部を係止し，更に他の留め付け金具を上記外壁板の上辺部に係止すると共に上記金属胴縁に固定する第４工程とを有し，
該第４工程を順次繰り返すことにより複数の外壁板を上記金属下地に固定する方法であり，
上記第３工程及び第４工程においては，上記各外壁板を複数の上記金属胴縁の前方に配置し，上記留め付け金具は，左右の上記外壁板が隣り合う部分に配設するものと，その他の部分に配設するものとがあり，前者は左右方向に長い長尺背面板に２個左右に並設した状態で上記金属胴縁に固定し，後者は１個の背面板に１個配設した状態で上記金属胴縁に固定することを特徴とする外壁施工方法。
【請求項７】
請求項６において，上記金属胴縁は，上記構造躯体に対向する胴縁背板と，該胴縁背板から前方へ略鉛直方向に立設された左右一対の鉛直立設板と，各鉛直立設板の前端から互いに向き合う方向に屈曲された左右一対の胴縁前板とを有し，また，上記留め付け金具及びスタータ金具は，その背面に，上記胴縁前板に係合可能な係合板を有しており，上記第３工程又は第４工程において，上記留め付け金具又はスタータ金具を上記金属胴縁に固定するに当っては，上記係合板を上記一対の胴縁前板の背面に係合することを特徴とする外壁施工方法。
【請求項８】
請求項６又は７において，上記金属ランナーは，上記構造躯体に固定されるランナー背板と，該ランナー背板から前方へ略水平方向に立設された上下一対の水平立設板とを有し，上記金属胴縁は，上記構造躯体に対向する胴縁背板と，該胴縁背板から前方へ略鉛直方向に立設された左右一対の鉛直立設板とを有し，上記第２工程において，上記金属胴縁を上記金属ランナーに固定するに当っては，固定金具におけるランナー固定部を上記金属ランナーの水平立設部に嵌合し，上記固定金具の胴縁固定部を上記金属胴縁に嵌合することを特徴とする外壁施工方法。
【請求項９】
請求項８において，上記固定金具は，上記ランナー固定部及び胴縁固定部に突起部を有し，上記ランナー固定部の突起部を，上記金属ランナーの上記水平立設板に設けられた係合穴に係合させ，上記胴縁固定部の突起部は，上記金属胴縁の鉛直立設部に設けられた係合穴に係合させることを特徴とする外壁施工方法。
【請求項１０】
請求項８又は９において，上記固定金具は，上記ランナー固定部を有するランナー保持体と，上記胴縁固定部を有する胴縁保持体とからなり，上記ランナー保持体と上記胴縁保持体との互いの位置関係を前後方向に変化させることにより，上記胴縁金具の不陸調整を行うことを特徴とする外壁施工方法。
【発明の詳細な説明】
【０００１】
【技術分野】
本発明は，建築物の構造躯体に固定した金属下地に外壁板を留め付けてなる外壁施工構造，及びその施工方法に関する。
【０００２】
【従来技術】
従来より，図３０，図３１に示すごとく，建築物の構造躯体９２に，縦胴縁９３等の下地材を介して，外壁板９４を固定してなる外壁施工構造９がある。即ち，該外壁施工構造９は，上記構造躯体９２に防水紙９８を介して固定した縦胴縁９３に，留め付け金具９５を用いて外壁板９４を固定してある。また，該留め付け金具９５は，ビス９６により上記縦胴縁９３及び構造躯体９２に固定されている（図３１）。
このように，上記外壁施工構造９においては，上記縦胴縁９３を，上記構造躯体９２における管柱９２３，間柱９２４等に，防水紙９８を介して固定する。
【０００３】
【解決しようとする課題】
しかしながら，上記従来の外壁施工構造９においては，図３０に示すごとく，上記縦胴縁９３が，その上下にわたり，上記管柱９２３や間柱９２４に沿うように配置して固定される必要がある。そして，外壁板９４の左右側端部は，縦胴縁９３上に配置する必要がある。それ故，上記外壁板９４を施工するにあたり，該外壁板９４は固定配置とならざるを得ず，施工が困難となる場合がある。
【０００４】
また，リフォームする際には，図３２に示すごとく，縦胴縁９３を，モルタル壁などの既存壁９４０及びその後方の既存胴縁９３０を介して構造躯体９２に，長いビス９６０を用いて固定し，この縦胴縁９３に，新たな外壁板９４を取り付けて外壁施工構造９を得る。
【０００５】
この場合，新たに施工した上記縦胴縁９３は，その固定力を確保するために，上記既存壁９４０の後方にある構造躯体９２，即ち管柱９２３，間柱９２４等の縦柱（図３０）に固定される必要がある。
しかし，上記管柱９２３，間柱９２４は，上記既存壁９４０の後方にあるため，上記縦胴縁９３を施工する際には，その位置を確認することが困難である。それ故，施工が困難となる。
【０００６】
本発明は，かかる従来の問題点に鑑みてなされたもので，施工容易，かつ強度の高い外壁施工構造，及びこれを施工する外壁施工方法を提供しようとするものである。
【０００７】
【課題の解決手段】
第１の発明は，建築物の構造躯体に固定した金属下地に横張用の外壁板を留め付けてなる外壁施工構造であって，
上記金属下地は，上記構造躯体に，それぞれ略水平方向に固定された複数の金属ランナーと，該複数の金属ランナーに略鉛直方向に固定された複数の金属胴縁とを有し，
上記外壁板は，上記金属胴縁に配設された留め付け金具又はスタータ金具に，上辺部及び下辺部を係止させることにより，上記金属下地に留め付けられていると共に，上記各外壁板は複数の上記金属胴縁の前方に配置され，
かつ，上記金属ランナーは，構造躯体における土台柱，胴差し，及び桁のいずれか２つ以上に沿ってその前面に固定されており，
上記留め付け金具は，左右の上記外壁板が隣り合う部分に配設されるものと，その他の部分に配設されるものとがあり，前者は左右方向に長い長尺背面板に２個左右に並設された状態で上記金属胴縁に固定され，後者は１個の背面板に１個配設された状態で上記金属胴縁に固定されていることを特徴とする外壁施工構造にある（請求項１）。
【０００８】
上記金属胴縁は，上記構造躯体に略水平方向に固定された金属ランナーに固定する。そのため，上記金属胴縁を上記金属ランナーに配設するにあたり，水平方向の位置が多少ずれても，構造躯体の縦材の位置にかかわらず，確実に固定することができる。そのため，上記外壁施工構造は施工容易である。
【０００９】
また，上記外壁施工構造は，金属下地を用いているため，強度，耐久性に優れている。
また，上記外壁板は，上記金属胴縁に配設された留め付け金具又はスタータ金具に，上辺部及び下辺部を係止させることにより，上記金属下地に留め付けられている。そのため，上記外壁板を，容易かつ確実に上記金属下地に固定することができる。
【００１０】
また，上記外壁施工構造をリフォーム用の外壁施工構造とする場合にも，施工が容易である。即ち，上記金属下地の金属ランナーを，土台柱と胴差し又は桁のように，既存壁の後方にある構造躯体のうち位置の分かりやすい部分に固定すればよいため，施工が容易である。
【００１１】
以上のごとく，本発明によれば，施工容易，かつ強度の高い外壁施工構造を提供することができる。
【００１２】
第２の発明は，建築物の構造躯体に固定した金属下地に横張用の外壁板を留め付けてなる外壁施工構造を施工する外壁施工方法であって，
該外壁施工方法は，複数の金属ランナーを，上記構造躯体における土台柱，胴差し，及び桁のいずれか２つ以上に沿って，それぞれ略水平方向に固定する第１工程と，
上記複数の金属ランナーに，複数の金属胴縁を略鉛直方向に固定することにより，上記構造躯体に固定された上記金属下地を得る第２工程と，
上記金属胴縁にスタータ金具を固定し，該スタータ金具に最下段の外壁板の下辺部を係止し，更に留め付け金具を上記外壁板の上辺部に係止すると共に上記金属胴縁に固定する第３工程と，
上記留め付け金具に，他の外壁板の下辺部を係止し，更に他の留め付け金具を上記外壁板の上辺部に係止すると共に上記金属胴縁に固定する第４工程とを有し，
該第４工程を順次繰り返すことにより複数の外壁板を上記金属下地に固定する方法であり，
上記第３工程及び第４工程においては，上記各外壁板を複数の上記金属胴縁の前方に配置し，上記留め付け金具は，左右の上記外壁板が隣り合う部分に配設するものと，その他の部分に配設するものとがあり，前者は左右方向に長い長尺背面板に２個左右に並設した状態で上記金属胴縁に固定し，後者は１個の背面板に１個配設した状態で上記金属胴縁に固定することを特徴とする外壁施工方法にある（請求項６）。
【００１３】
上記第２工程においては，上記金属胴縁を，上記構造躯体に水平方向に固定された金属ランナーに固定する。そのため，上記金属胴縁を上記金属ランナーに配設するにあたり，水平方向の位置が多少ずれても，構造躯体の縦材の位置にかかわらず，確実に固定することができる。そのため，上記外壁施工構造は施工容易である。
【００１４】
また，上記第３工程，第４工程においては，上記外壁板を，上記金属胴縁に配設された留め付け金具又はスタータ金具に，上辺部及び下辺部を係止させることにより，上記金属下地に留め付ける。そのため，上記外壁板を，容易かつ確実に上記金属下地に固定することができる。
また，上記外壁施工構造は，金属下地を用いているため，強度，耐久性に優れている。
【００１５】
また，上記外壁施工構造をリフォーム用の外壁施工構造とする場合にも，施工が容易である。即ち，上記金属下地の金属ランナーを，土台柱と胴差し又は桁のように，既存壁の後方にある構造躯体のうち位置の分かりやすい部分に固定すればよいため，施工が容易である。
【００１６】
以上のごとく，本発明によれば，強度の高い外壁施工構造を容易に施工することができる外壁施工方法を提供することができる。
【００１７】
【発明の実施の形態】
上記第１の発明（請求項１）において，上記金属下地の材質としては，例えば，鉄，アルミ，ステンレス鋼等を用いることができる。また，上記金属ランナー，金属胴縁は，例えば，厚み０．８〜２．３ｍｍの金属板を折り曲げ加工することにより形成される。
また，上記金属ランナーは，構造躯体における土台柱，胴差し，及び桁のいずれかに固定されている。これにより，上記金属ランナーは，特に高い固定力で構造躯体に固定され，その結果，上記金属下地の強度，ひいては外壁施工構造の強度が向上する。
【００１８】
また，上記留め付け金具は，例えば，外壁板の裏側面に当接する基板部と，該基板部から前方に立設された支承部と，該支承部から斜め上方へ屈曲した上板係止部と，上記支承部から斜め下方へ屈曲した下板係止部とを有する。また，上記上板係止部及び下板係止部の前方には，前方平板部が形成されていてることが好ましい。また，上記基板部は，その上部において斜め後方に後退した斜面部を有すると共に，下端部において略９０°後方に屈曲した下方脚部を有することが好ましい。
【００１９】
また，上記スタータ金具は，最下段の外壁板の下辺部を係止するための金具であり，例えば，上記土台柱に固定される固定板部と該固定板部から前方へ屈曲形成された支承部と，該支承部の前端から斜め上方へ屈曲形成された係止部とからなる，水平方向に長尺な金具である。
また，上記外壁施工構造は，新築用の外壁施工構造であっても，リフォーム用の外壁施工構造であってもよい。
【００２０】
また，上記金属胴縁は，上記構造躯体に対向する胴縁背板と，該胴縁背板から前方へ略鉛直方向に立設された左右一対の鉛直立設板と，各鉛直立設板の前端から互いに向き合う方向に屈曲された左右一対の胴縁前板とを有し，かつ，上記留め付け金具及びスタータ金具は，その背面に，上記金属胴縁における左右一対の胴縁前板に係合する係合板を有しており，該係合板を上記一対の胴縁前板の背面に係合することにより，上記留め付け金具及びスタータ金具を上記金属胴縁に固定してなることが好ましい（請求項２）。
【００２１】
この場合には，上記留め付け金具及びスタータ金具を，上記金属胴縁に沿って上下にスライド移動させて，所望の位置に配置することができる。それ故，上記留め付け金具又はスタータ金具を，容易かつ確実に，上記金属胴縁に固定して，外壁板を金属下地に留め付けることができる。
【００２２】
また，上記金属ランナーは，上記構造躯体に固定されるランナー背板と，該ランナー背板から前方へ略水平方向に立設された上下一対の水平立設板とを有し，上記金属胴縁は，上記構造躯体に対向する胴縁背板と，該胴縁背板から前方へ略鉛直方向に立設された左右一対の鉛直立設板とを有し，上記金属ランナーと上記金属胴縁とは，上記金属ランナーの水平立設部に嵌合するランナー固定部と，上記金属胴縁に嵌合する胴縁固定部とを有する固定金具を介して固定されていることが好ましい（請求項３）。
この場合には，上記固定金具を上記金属ランナー及び金属胴縁に嵌合することにより，該金属ランナーと金属胴縁とを固定することができる。それ故，施工が容易であると共に，金属ランナーと金属胴縁とを確実に固定することができる。
【００２３】
また，上記固定金具は，上記ランナー固定部及び胴縁固定部に突起部を有し，上記ランナー固定部の突起部は，上記金属ランナーの上記水平立設板に設けられた係合穴に係合し，上記胴縁固定部の突起部は，上記金属胴縁の鉛直立設部に設けられた係合穴に係合していることが好ましい（請求項４）。
これにより，上記固定金具を，上記金属ランナー及び金属胴縁により確実に固定することができる。
【００２４】
上記固定金具は，上記ランナー固定部を有するランナー保持体と，上記胴縁固定部を有する胴縁保持体とからなり，上記ランナー保持体と上記胴縁保持体とは，互いの位置関係を前後方向に変化させることができるよう構成してあることが好ましい（請求項５）。
これにより，上記金属下地に固定する外壁板の不陸調整を容易に行うことができる。それ故，一層，施工容易かつ強度の高い外壁施工構造を得ることができる。
【００２５】
次に，上記第２の発明（請求項６）において，上記第４工程は１回のみであってもよい。
また，上記第１工程においては，上記金属ランナーを，構造躯体における土台柱，胴差し，及び桁のいずれかに固定することが好ましい。この場合には，上記金属ランナーは，特に高い固定力で構造躯体に固定され，その結果，上記金属下地の強度，ひいては外壁施工構造の強度が向上する。
【００２６】
また，上記金属胴縁は，上記構造躯体に対向する胴縁背板と，該胴縁背板から前方へ略鉛直方向に立設された左右一対の鉛直立設板と，各鉛直立設板の前端から互いに向き合う方向に屈曲された左右一対の胴縁前板とを有し，また，上記留め付け金具及びスタータ金具は，その背面に，上記胴縁前板に係合可能な係合板を有しており，上記第３工程又は第４工程において，上記留め付け金具又はスタータ金具を上記金属胴縁に固定するに当っては，上記係合板を上記一対の胴縁前板の背面に係合することが好ましい（請求項７）。
【００２７】
この場合には，上記留め付け金具及びスタータ金具を，上記金属胴縁に沿って上下にスライド移動させて，所望の位置に配置することができる。それ故，上記留め付け金具又はスタータ金具を，容易かつ確実に，上記金属胴縁に固定することができる。
【００２８】
また，上記金属ランナーは，上記構造躯体に固定されるランナー背板と，該ランナー背板から前方へ略水平方向に立設された上下一対の水平立設板とを有し，上記金属胴縁は，上記構造躯体に対向する胴縁背板と，該胴縁背板から前方へ略鉛直方向に立設された左右一対の鉛直立設板とを有し，上記第２工程において，上記金属胴縁を上記金属ランナーに固定するに当っては，固定金具におけるランナー固定部を上記金属ランナーの水平立設部に嵌合し，上記固定金具の胴縁固定部を上記金属胴縁に嵌合することが好ましい（請求項８）。
この場合には，上記固定金具を上記金属ランナー及び金属胴縁に嵌合することにより，該金属ランナーと金属胴縁とを固定することができる。それ故，施工が容易であると共に，金属ランナーと金属胴縁とを確実に固定することができる。
【００２９】
また，上記固定金具は，上記ランナー固定部及び胴縁固定部に突起部を有し，上記ランナー固定部の突起部を，上記金属ランナーの上記水平立設板に設けられた係合穴に係合させ，上記胴縁固定部の突起部は，上記金属胴縁の鉛直立設部に設けられた係合穴に係合させることが好ましい（請求項９）。
これにより，上記固定金具を，上記金属ランナー及び金属胴縁により確実に固定することができる。
【００３０】
また，上記固定金具は，上記ランナー固定部を有するランナー保持体と，上記胴縁固定部を有する胴縁保持体とからなり，上記ランナー保持体と上記胴縁保持体との互いの位置関係を前後方向に変化させることにより，上記胴縁金具の不陸調整を行うことが好ましい（請求項１０）。
この場合には，一層，施工容易かつ強度の高い外壁施工構造を施工することができる。
【００３１】
【実施例】
（実施例１）
本発明の実施例にかかる外壁施工構造及びこれを施工する外壁施工方法につき，図１〜図２８を用いて説明する。
本例の外壁施工構造１は，図１，図２に示すごとく，建築物の構造躯体２に固定した金属下地３に外壁板４を留め付けてなる。
【００３２】
上記金属下地３は，図１，図２に示すごとく，上記構造躯体２における土台柱２１と胴差２２とに，それぞれ略水平方向に固定された複数の金属ランナー３１と，該複数の金属ランナー３１に略鉛直方向に固定された複数の金属胴縁３２とを有する。
【００３３】
また，上記外壁板４は，図２，図７，図１３に示すごとく，上記金属胴縁３２に配設された留め付け金具５又はスタータ金具６に，上辺部４１及び下辺部４２を係止させることにより，上記金属下地３に留め付けられている。
また，上記金属下地３の材質は，例えば，鉄，アルミ，ステンレス鋼等である。
また，上記金属ランナー３１，金属胴縁３２は，厚み約１．２ｍｍの金属板を折り曲げ加工することにより形成されている（図３，図４）。
【００３４】
また，図１に示すごとく，上記土台柱２１と上記胴差し２２とにそれぞれ固定された２本の金属ランナー３１の間には，両者間における複数の管柱２３及び間柱２４にわたって，水平方向に補強用ランナー３１０が固定されている。そして，該補強用ランナー３１０には，上記金属ランナー３１と同様に，上記金属胴縁３２が固定されている。
【００３５】
また，上記金属ランナー３１は，図３に示すごとく，上記構造躯体２に固定されるランナー背板３１１と，該ランナー背板３１１から前方へ略水平方向に立設された上下一対の水平立設板３１２とを有する。該水平立設板３１２には，矩形状の係合穴３１４（後述する）が形成されている。
また，上記金属ランナー３１は，図１８に示すごとく，上記ランナー背板３１１に，所定の間隔をもって，複数のビス穴３１５が形成されており，図１，図２に示すごとく，該ビス穴３１５にビス３９を挿通すると共に上記構造躯体２にねじ込むことにより，上記金属ランナー３１を構造躯体２に固定している。
【００３６】
上記金属胴縁３２は，図４に示すごとく，上記構造躯体２に対向する胴縁背板３２１と，該胴縁背板３２１から前方へ略鉛直方向に立設された左右一対の鉛直立設板３２２と，各鉛直立設板３２２の前端から互いに向き合う方向に屈曲された左右一対の胴縁前板３２３とを有する。鉛直立設板３２２には，係合穴３２４（後述する）が形成されている。また，図６〜図１０に示すごとく，上記留め付け金具５は，その背面に，上記金属胴縁３２における左右一対の胴縁前板３２３に係合する係合板５９を有している。また，図１３に示すごとく，スタータ金具６も，同様の係合板６９を有している。
なお，上記係合板５９，６９は，係合ネジ５７，６７によって，上記留め付け金具５又はスタータ金具６の背面に取り付けられている。
【００３７】
図７，図１０，図１３に示すごとく，上記係合板５９，６９を上記一対の胴縁前板３２３の背面に係合することにより，上記留め付け金具５及びスタータ金具６は上記金属胴縁３２に固定されている。
上記留め付け金具５は，図５〜図７に示すごとく，外壁板４の裏側面４６に当接する基板部５１と，該基板部５１から前方に立設された支承部５２と，該支承部５２から斜め上方へ屈曲した上板係止部５３と，上記支承部５２から斜め下方へ屈曲した下板係止部５４とを有する。また，上記上板係止部５３及び下板係止部５４の前方には，前方平板部５３４が形成されていてる。また，上記基板部５１は，その上部において斜め後方に後退した斜面部５１１を有すると共に，下端部において略９０°後方に屈曲した下方脚部５１２を有する。
【００３８】
また，図５に示すごとく，上記留め付け金具５は，上記係合板５９を設けた背面板５８に，符号Ｓが示す部分においてスポット溶接することによって固定されている。
また，図１１，図２４に示すごとく，左右の外壁板４が隣り合う部分に配設される上記留め付け金具５は，左右方向に長い長尺背面板５８０に，２個左右に並設されている。
【００３９】
また，上記スタータ金具６は，図１３に示すごとく，最下段の外壁板４の下辺部４２を係止するための金具である。そして，図１２，図１３に示すごとく，上記スタータ金具６は，上記土台柱２１に固定される固定板部６１と，該固定板部６１の下端部６１１から前方へ屈曲形成された支承部６２と，該支承部６２の前端から斜め上方へ屈曲形成された係止部６３とからなる，水平方向に長尺な金具である。
また，上記固定板部６１には，強度を確保するために前方へ屈曲形成された上端突出部６１２及び中央突出部６１３が左右方向に設けてある。
【００４０】
図２１，図２２に示すごとく，上記金属ランナー３１と上記金属胴縁３２とは固定金具７を介して固定されている。該固定金具７は，図１４〜図２２に示すごとく，上記金属ランナー３１の水平立設部３１２に嵌合するランナー固定部７１と，上記金属胴縁３２に嵌合する胴縁固定部７２とを有する。
【００４１】
また，図１４〜図１６，図１９に示すごとく，上記固定金具７は，上記ランナー固定部７１及び胴縁固定部７２に突起部７１２，７２２を有する。図１９に示すごとく，上記ランナー固定部７１の突起部７１２は，上記金属ランナー３１の上記水平立設板３１２に設けられた係合穴３１４に係合している。また，図２２に示すごとく，上記胴縁固定部７２の突起部７２２は，上記金属胴縁３２の鉛直立設部３２２に設けられた係合穴３２４に係合している。
【００４２】
上記固定金具７は，図１４〜図１７に示すごとく，上記ランナー固定部７１を有するランナー保持体７１０と，上記胴縁固定部７２を有する胴縁保持体７２０とからなる。上記ランナー保持体７１０と上記胴縁保持体７２０とは，互いの位置関係を前後方向に変化させることができる。
【００４３】
即ち，図１７に示すごとく，上記ランナー保持体７１０と上記胴縁保持体７２０との間には，両者間の隙間を拡縮させる不陸調整ネジ７３が配設されている。該不陸調整ネジ７３は，上記ランナー保持体７１０のネジ穴７１３に螺合するネジ脚部７３１と，上記胴縁保持体７２の中央穴７２１に遊嵌するネジ頭部７３２とを有する。そして，上記ネジ脚部７３１とネジ頭部７３２との間には，上記胴縁保持体７２０に後方から当接するネジ鍔部７３３が設けられている。
これにより，上記不陸調整ネジ７３を回転させて，上記ランナー保持体７１０と胴縁保持体７２０との位置関係を前後に変化させることができる。
【００４４】
また，上記ランナー保持体７１０と胴縁保持体７２０とは，上記不陸調整ネジ７３の上下において，固定ネジ７４によって固定されている。即ち，上記不陸調整ネジ７３によって上記ランナー保持体７１０に対する胴縁保持体７２０の位置を調整した後，上記固定ネジ７４によって，上記ランナー保持体７１０に胴縁保持体７２０を固定することができる。
【００４５】
また，図２１に示すごとく，上記金属胴縁３２の胴縁背板３２１には，上記固定金具７に嵌合されたときに，該固定金具７の上記不陸調整ネジ７３，固定ネジ７４が配設される部分を開口する開口部３２５が形成されている。
なお，図１４〜図１７に示すごとく，上記固定金具７の胴縁保持体７２０には，補強リブ７２９が設けてある。
【００４６】
次に，上記外壁施工構造１を施工する方法につき説明する。
即ち，本例の外壁施工方法は，下記の第１工程〜第４工程を有する。
第１工程においては，図２５，図１，図２に示すごとく，上記構造躯体２における土台柱２１と胴差し２２とに，複数の金属ランナー３１をそれぞれ略水平方向に固定する。
第２工程においては，図２７，図１，図２に示すごとく，上記複数の金属ランナー３１に，固定金具７を用いて，複数の金属胴縁３２を略鉛直方向に固定する。これにより，上記構造躯体２に固定された上記金属下地３を得る。
【００４７】
第３工程においては，図２８，図１，図２，図１３に示すごとく，係合ネジ６７を用いて上記金属胴縁３２にスタータ金具６を固定し，該スタータ金具６に最下段の外壁板４の下辺部４２を係止する。更に，図１，図２，図７に示すごとく，留め付け金具５を上記外壁板４の上辺部４１に係止すると共に，係合ネジ５７を用いて上記金属胴縁３２に固定する。
【００４８】
第４工程においては，図１，図２，図７，図２３，図２４に示すごとく，上記留め付け金具５に，他の外壁板４の下辺部４２を係止する。更に他の留め付け金具５を，上記外壁板４の上辺部４１に係止すると共に係合ネジ５７を用いて上記金属胴縁３２に固定する。
そして，該第４工程を順次繰り返すことにより複数の外壁板４を上記金属下地２に固定する。
【００４９】
また，上記第１工程においては，図１，図２に示すごとく，上記土台柱２１と上記胴差し２２との間における複数の管柱２３及び間柱２４にわたって，水平方向に補強用ランナー３１０を固定する。
また，上記第２工程において，上記金属胴縁３２を上記金属ランナー３１に固定するに当っては，まず，図２６，図１８〜図２０に示すごとく，固定金具７におけるランナー固定部７１を上記金属ランナー３１の水平立設部３１２に嵌合する。そして，図２７，図２１，図２２に示すごとく，上記固定金具７の胴縁固定部７２を上記金属胴縁３２に嵌合する。
また，上記金属胴縁３２は，上記補強用ランナー３１０に対しても同様に固定する。
【００５０】
このとき，図１９に示すごとく，上記ランナー固定部７１の突起部７１２を，上記金属ランナー３１の上記水平立設板３１２に設けられた係合穴３１４に係合させる。そして，上記胴縁固定部７２の突起部７２２は，上記金属胴縁３２の鉛直立設部３２２に設けられた係合穴３２４に係合させる。
【００５１】
また，上記第２工程において，上記不陸調整ネジ７３によって，上記ランナー保持体７１０と上記胴縁保持体７２０との互いの位置関係を前後方向に変化させることにより，上記胴縁金具３２の不陸調整を行う。
また，上記第３工程又は第４工程において，上記留め付け金具５又はスタータ金具６を上記金属胴縁３２に固定するに当っては，図７〜図１０，図１３に示すごとく，上記係合板５９，６９を上記一対の胴縁前板３２３の背面に係合する。
【００５２】
即ち，図８に示すごとく，上記係合板５９，６９を上記一対の胴縁前板３２３の間から挿入する。次いで，図９，図１０に示すごとく，上記係合ネジ５７，６７を締める方向に回転させることにより上記係合板５９，６９を回動させると共に前進させ，上記胴縁前板３２３の背面に係合させる。
【００５３】
また，図２４に示すごとく，左右の外壁板４が隣り合う部分には，上記長尺背面板５８０に並設した一対の留め付け金具５を用いる。即ち，これら一対の留め付け金具５のうち，左側の留め付け金具５は左下の外壁板４の上辺部４１を係止すると共に左上の外壁板４の下辺部４２を支承する。一方，右側の留め付け金具５は右下の外壁板４の上辺部４１を係止すると共に右上の外壁板４の下辺部４２を支承する。
また，上記長尺背面板５８０は，その略中央における背面に係合板５９を有しており，該係合板５９によって上記金属胴縁３２に固定される。
【００５４】
次に，本例の作用効果につき説明する。
上記金属胴縁３２は，上記構造躯体２に水平方向に固定された金属ランナー３１に固定する。そのため，上記金属胴縁３２を上記金属ランナー３１に配設するにあたり，水平方向の位置が多少ずれても，上記構造躯体２の縦材の位置にかかわらず，確実に固定することができる。そのため，上記外壁施工構造１は施工容易である。
【００５５】
また，上記外壁施工構造１は，金属下地３を用いているため，強度，耐久性に優れている。
また，図１，図２に示すごとく，上記金属ランナー３１は，土台柱２１，胴差し２２に固定されている。そして，上記土台柱２１，胴差し２２は，構造躯体２の強度確保に特に重要な部分であるため，特に強度の高い部材が通常使用される。それ故，上記金属ランナー３１は，高い固定力で構造躯体２に固定され，その結果，上記金属下地３の強度，ひいては外壁施工構造１の強度が向上する。
【００５６】
また，図１，図２，図２３，図２４に示すごとく，上記外壁板４は，上記金属胴縁３１に配設された留め付け金具５又はスタータ金具６に，上辺部４１及び下辺部４２を係止させることにより，上記金属下地３に留め付けられている。そのため，上記外壁板４を，容易かつ確実に上記金属下地３に固定することができる。
【００５７】
また，図７〜図１０，図１３に示すごとく，上記留め付け金具５及びスタータ金具６に配設した上記係合板５９，６９を上記一対の胴縁前板３２３の背面に係合することにより，上記留め付け金具５及びスタータ金具６を上記金属胴縁３２に固定する。そのため，上記留め付け金具５及びスタータ金具６を，上記金属胴縁３２に沿って上下にスライド移動させて，所望の位置に配置することができる。それ故，上記留め付け金具５又はスタータ金具６を，容易かつ確実に，上記金属胴縁３２に固定することができる。
【００５８】
また，図２１，図２２に示すごとく，上記金属ランナー３１と上記金属胴縁３２とは，上記金属ランナー３１の水平立設部３１２に嵌合するランナー固定部７１と，上記金属胴縁３２に嵌合する胴縁固定部７２とを有する固定金具７を介して固定されている。これにより，上記固定金具７を上記金属ランナー３１及び金属胴縁３２に嵌合して，該金属ランナー３１と金属胴縁３２とを固定することができる。それ故，施工が容易であると共に，金属ランナー３１と金属胴縁３２とを確実に固定することができる。
【００５９】
また，上記固定金具７は，上記ランナー固定部７１の突起部７１２を，上記金属ランナー３１の上記水平立設板３１２に設けられた係合穴３１４に係合し，上記胴縁固定部７２の突起部７２２は，上記金属胴縁３２の鉛直立設部３２２に設けられた係合穴３２４に係合している。これにより，上記固定金具７を，上記金属ランナー３１及び金属胴縁３２に一層確実に固定することができる。
【００６０】
また，図１７に示すごとく，上記固定金具７は，上記ランナー保持体７１０と胴縁保持体７２０とからなり，両者は互いの位置関係を前後方向に変化させることができる。これにより，上記金属下地３に固定する外壁板４の不陸調整を容易に行うことができる。それ故，一層，施工容易かつ強度の高い外壁施工構造を得ることができる。
【００６１】
以上のごとく，本例によれば，施工容易，かつ強度の高い外壁施工構造及び外壁施工方法を提供することができる。
【００６２】
（実施例２）
本例は，図２９に示すごとく，本発明をリフォーム用の外壁施工構造１０とした例である。
該外壁施工構造１０を施工するにあたっては，金属下地３の金属ランナー３１を，モルタル壁などの既存壁４０及び既存胴縁３０を介して既存の構造躯体２における土台柱２１と胴差し２２とに，長尺ビス３９０を用いて固定する。そして，該金属ランナー３１に固定金具７を用いて金属胴縁３２を固定する。これにより，上記既存壁４０の前面に金属下地３を構築する。
次いで，該金属胴縁３２にスタータ金具６及び留め付け金具５を用いて新たな外壁板４を留め付ける。以上により，上記外壁施工構造１０を得る。
その他は，実施例１と同様である。
【００６３】
この場合には，既存壁４０の後方にある構造躯体２のうち，位置の分かりやすい土台柱２１，胴差し２２に上記金属下地３を固定すればよいため，施工が容易である。
その他，実施例１と同様の作用効果を有する。
【００６４】
なお，上記実施例１，２においては，上記金属ランナーを土台柱と胴差しに固定する例を示したが，上記金属ランナーを土台柱と桁とに固定する，或いは，土台柱と胴差しと桁とに固定することもできる。これらの場合にも，同様の作用効果を得ることができる。
また，上記スタータ金具６の代わりに，上記留め付け金具５をスタータ金具として併用することもできる。
【図面の簡単な説明】
【図１】実施例１における，外壁施工構造の正面説明図。
【図２】図１のＡ−Ａ線矢視断面図。
【図３】実施例１における，金属ランナーの斜視図。
【図４】実施例１における，金属胴縁の斜視図。
【図５】実施例１における，留め付け金具の正面図。
【図６】実施例１における，留め付け金具の背面図。
【図７】実施例１における，留め付け金具周辺の外壁施工構造の縦断面図。
【図８】実施例１における，金属胴縁への留め付け金具の固定方法の説明図。
【図９】図８に続く，留め付け金具の固定方法の説明図。
【図１０】図９に続く，留め付け金具の固定方法の説明図。
【図１１】実施例１における，長尺背面板に固定された留め付け金具の正面図。
【図１２】実施例１における，スタータ金具の斜視図。
【図１３】実施例１における，スタータ金具周辺の外壁施工構造の縦断面図。
【図１４】実施例１における，固定金具の正面図。
【図１５】実施例１における，固定金具の側面図。
【図１６】実施例１における，固定金具の上面図。
【図１７】図１４のＢ−Ｂ線矢視断面図。
【図１８】実施例１における，金属ランナーに固定金具を嵌合した状態を示す正面図。
【図１９】図１８のＣ矢視図。
【図２０】図１８のＤ矢視図。
【図２１】実施例１における，固定金具によって金属ランナーと金属胴縁とを固定した状態を示す正面図。
【図２２】図２１のＥ矢視図。
【図２３】実施例１における，留め付け金具により上下の外壁板を留め付けた状態を示す正面説明図。
【図２４】実施例１における，留め付け金具により上下左右の外壁板を留め付けた状態を示す正面説明図。
【図２５】実施例１における，外壁施工方法の説明図。
【図２６】図２５に続く，外壁施工方法の説明図。
【図２７】図２６に続く，外壁施工方法の説明図。
【図２８】図２７に続く，外壁施工方法の説明図。
【図２９】実施例２における，外壁施工構造の縦断面説明図。
【図３０】従来例における，外壁施工構造の正面説明図。
【図３１】図３０のＦ−Ｆ線矢視断面相当の説明図。
【図３２】従来例における，リフォーム用の外壁施工構造の縦断面説明図。
【符号の説明】
１．．．外壁施工構造，
２．．．構造躯体，
２１．．．土台柱，
２２．．．胴差し，
３．．．金属下地，
３１．．．金属ランナー，
３２．．．金属胴縁，
４．．．外壁板，
５．．．留め付け金具，
６．．．スタータ金具，
７．．．固定金具，
【図１】
0003654233.tif 000002
【図２】
0003654233.tif 000003
【図３】
0003654233.tif 000004
【図４】
0003654233.tif 000005
【図５】
0003654233.tif 000006
【図６】
0003654233.tif 000007
【図７】
0003654233.tif 000008
【図８】
0003654233.tif 000009
【図９】
0003654233.tif 000010
【図１０】
0003654233.tif 000011
【図１１】
0003654233.tif 000012
【図１２】
0003654233.tif 000013
【図１３】
0003654233.tif 000014
【図１４】
0003654233.tif 000015
【図１５】
0003654233.tif 000016
【図１６】
0003654233.tif 000017
【図１７】
0003654233.tif 000018
【図１８】
0003654233.tif 000019
【図１９】
0003654233.tif 000020
【図２０】
0003654233.tif 000021
【図２１】
0003654233.tif 000022
【図２２】
0003654233.tif 000023
【図２３】
0003654233.tif 000024
【図２４】
0003654233.tif 000025
【図２５】
0003654233.tif 000026
【図２６】
0003654233.tif 000027
【図２７】
0003654233.tif 000028
【図２８】
0003654233.tif 000029
【図２９】
0003654233.tif 000030
【図３０】
0003654233.tif 000031
【図３１】
0003654233.tif 000032
【図３２】
0003654233.tif 000033